(57)【要約】【課題】歯を白くしたい者が歯科医に出向くまでもなく、自宅において実施可能な、オフィスブリーチと同様の漂白効果を持ったより簡便で、安全性にも優れた漂白方法と、同時に虫歯や歯周病を予防できるプラークコントロール方法を提供する。【解決手段】光放射により光触媒作用を生じる二酸化チタンと、過酸化水素を発生しうる化合物とを含有する歯磨き剤を、光照射機能を有する歯ブラシにつけ、光を照射しながら歯牙表面をブラッシングすることを特徴とする歯牙の漂白方法およびプラークコントロール方法。【特許請求の範囲】
【請求項１】
光放射により光触媒作用を生じる二酸化チタンと、過酸化水素を発生しうる化合物とを含有する歯磨き剤を、光照射機能を有する歯ブラシにつけ、光を照射しながら歯牙表面をブラッシングすることを特徴とする歯牙の漂白方法。
【請求項２】
二酸化チタンが、アナターゼ型、ルチル型またはブルッカイト型である請求項１記載の歯牙の漂白方法。
【請求項３】
光照射により光触媒作用を生じる二酸化チタンが無機増粘剤を含有する請求項１記載の歯牙の漂白方法。
【請求項４】
過酸化水素を発生しうる化合物が有機増粘剤を含有する請求項１記載の歯牙の漂白方法。
【請求項５】
過酸化水素を発生しうる化合物が過酸化水素、過ホウ酸塩、過炭酸塩、過リン酸塩、過酸化カルシウム、過酸化マグネシウムおよび過酸化尿素からなる群から選ばれる少なくとも１種の化合物である請求項１記載の歯牙の漂白方法。
【請求項６】
光照射により光触媒作用を生じるに酸化チタンと、過酸化水素を発生しうる化合物とを混合した後の有効酸素濃度が３％以下である請求項１〜５記載の歯牙の漂白方法。
【請求項７】
光照射機能を有する歯ブラシから照射される光の波長が３８０〜５００nmを含むことを特徴とする請求項１〜６記載の歯牙の漂白方法。
【請求項８】
光放射により光触媒作用を生じる二酸化チタンと、過酸化水素を発生しうる化合物とを含有する歯磨き剤を、光照射機能を有する歯ブラシにつけ、光を照射しながら歯牙表面をブラッシングすることを特徴とするプラークコントロール方法。
【請求項９】
二酸化チタンが、アナターゼ型、ルチル型またはブルッカイト型である請求項８記載のプラークコントロール方法。
【請求項１０】
光照射により光触媒作用を生じる二酸化チタンが無機増粘剤を含有する請求項８記載のプラークコントロール方法。
【請求項１１】
過酸化水素を発生しうる化合物が有機増粘剤を含有する請求項８記載のプラークコントロール方法
【請求項１２】
過酸化水素を発生しうる化合物が過酸化水素、過ホウ酸塩、過炭酸塩、過リン酸塩、過酸化カルシウム、過酸化マグネシウムおよび過酸化尿素からなる群から選ばれる少なくとも１種の化合物である請求項８記載のプラークコントロール方法。
【請求項１３】
光照射により光触媒作用を生じる二酸化チタンと、過酸化水素を発生しうる化合物とを混合した後の有効酸素濃度が３％以下である請求項８〜１２記載のプラークコントロール方法。
【請求項１４】
光照射機能を有する歯ブラシから照射される光の波長が３８０〜５００nmを含むことを特徴とする請求項８〜１３記載のプラークコントロール方法。
【発明の詳細な説明】
【技術分野】
【０００１】
本発明は、歯牙に沈着した色素を漂白し除去する方法およびプラークコントロール方法に関するものである。更に詳しくは、光触媒活性を有する特定の組成からなる歯磨き剤を、光照射機能を有する歯ブラシにつけ、光を照射した状態で変色した歯牙をブラッシングすることにより、歯牙に沈着した色素を漂白し除去する方法およびプラークコントロール方法に関するものである。
【背景技術】
【０００２】
近年、歯科診療において、歯の形態、配列、調和などいわゆる審美性の改善についての要望が強くなってきている。また、美容上の重要な要素として、歯を白くしたいという要望も多く、歯科診療にて歯の漂白が行われるようになってきた。いわゆるオフィスブリーチである。発明者らもオフィスブリーチに用いられる漂白材に関する開発を行っている（特許文献１および２参照）。
【０００３】
既に松風ハイライト（商品名）など、オフィスブリーチで使用されている漂白材もある。松風ハイライトにせよ特許文献１および２にせよ、色素が沈着した歯牙に光触媒を含有する漂白材を塗布し、光照射器にて光を照射し、色素を分解する。歯が所望の白さになるまで、漂白材の塗布と光照射を何度か繰り返し行う必要がある。しかしながら、オフィスブリーチでは漂白材の塗布と光照射を繰り返すことから、時間の拘束がある、定期的な通院が必要であるなど、施療を受ける者の負担が大きく、改善が要望されている。
【０００４】
また、虫歯や歯周病の予防方法として、ブラッシングの励行、定期的な歯石除去などのプラークコントロール方法がある。一方で、今なお多くの人が虫歯や歯周病にかかっているのも事実である。虫歯や歯周病の原因となる口腔内のグラム陽性菌を殺菌することにより繁殖を抑制できれば、これらの発症を予防することができる。しかしながら、安全性の面から口腔内の殺菌は容易ではなく、有効な手段がないのが実情である。
【特許文献１】特開２００２−２２０３３０号公報
【特許文献２】特開２００２−２８４６５６号公報
【発明の開示】
【発明が解決しようとする課題】
【０００５】
上記のように、オフィスブリーチでは歯牙の漂白に歯肉保護など専門的な技術が必要なことから、歯科医に出向く必要があり、また、漂白材の塗布と光照射を繰り返すことから、時間の拘束がある、定期的な通院が必要であるなど、施療を受ける者の負担が大きく、より簡便な歯牙の漂白方法が望まれていた。また、虫歯や歯周病の予防のために口腔内の殺菌を行うことも容易ではない。
【０００６】
本発明は、このような問題を解決し、歯を白くしたい者が歯科医に出向くまでもなく、自宅において実施可能な、オフィスブリーチと同様の漂白効果を持ったより簡便で、安全性にも優れた漂白方法と、同時に虫歯や歯周病を予防できるプラークコントロール方法を提供することにある。
【課題を解決するための手段】
【０００７】
本発明者らは、歯牙の漂白効果が高く、しかも自宅において実施可能な簡便で安全性にも優れた歯牙の漂白方法とプラークコントロール方法につき、鋭意研究を重ねた結果、光照射により光触媒作用を生じる二酸化チタンと、過酸化水素を発生しうる化合物とを含有する歯磨き剤を、光照射機能を有する歯ブラシにつけ、光を照射しながら歯牙表面をブラッシングすることで、歯牙の漂白およびプラークコントロールができることを見出し、本発明に至った。
【０００８】
すなわち、本発明は、以下に関するものである。
（１）光放射により光触媒作用を生じる二酸化チタンと、過酸化水素を発生しうる化合物とを含有する歯磨き剤を、光照射機能を有する歯ブラシにつけ、光を照射しながら歯牙表面をブラッシングすることを特徴とする歯牙の漂白方法。
（２）光放射により光触媒作用を生じる二酸化チタンと、過酸化水素を発生しうる化合物とを含有する歯磨き剤を、光照射機能を有する歯ブラシにつけ、光を照射しながら歯牙表面をブラッシングすることを特徴とするプラークコントロール方法。
【発明の効果】
【０００９】
本発明の歯牙の漂白方法およびプラークコントロール方法によれば（１）歯科医への通院で時間を拘束されることなく、日常生活の歯磨きの中で、（２）安全に、（３）歯牙の漂白が可能となるとともに、（４）プラークコントロールも可能となる。
【発明を実施するための最良の形態】
【００１０】
前記の目的を達成するために、本発明においては、光照射により光触媒作用を生じる二酸化チタンまたはそれを含有する混合物と、過酸化水素を発生しうる化合物またはそれを含有する混合物からなる歯磨き剤を用いる。これらを使用直前に混合するか、又はそれぞれ単独で光照射機能を有する歯ブラシにつけ、光を照射しながら歯牙表面のブラッシングを行う。これにより、日常の歯磨きの中でより歯を白くすることができ、併せてプラークコントロールができる。
【００１１】
本発明に使用される主たる作用は、光触媒としての二酸化チタンと過酸化水素または化合物から発生した過酸化水素との相乗効果による漂白作用およびプラークコントロール作用である。すなわち、光触媒である二酸化チタンに光を照射すると電子と正孔を生じ、それが過酸化水素と反応して活性酸素を生じる。この活性酸素はオゾンより遥かに強い酸化力を持ち、ほぼ全ての有機物を炭酸ガスにまで酸化分解でき、また、口腔内のグラム陽性菌の殺菌にも効果がある。
【００１２】
歯磨き剤の１つ目の成分である二酸化チタンは単独であっても、それを含有する混合物であっても良い。単独の場合粉末であるが、混合物の場合はそれが粉末状の混合物であっても、水などの媒体に分散させたゾル状態であっても良い。二酸化チタンはさまざまな結晶構造を取りうるが、本発明には光触媒活性を有するアナターゼ型、ルチル型またはブルッカイト型が使用される。
【００１３】
二酸化チタンの粒子系は１〜５００ｎｍのものが好適に用いられるが、より好ましくは５〜２００ｎｍのものである。二酸化チタンの配合量については、あまり少ないと好ましい歯牙漂白効果を得るのに長時間を要する場合があり、また、逆に多すぎると二酸化チタン自体の光透過性が良くないことから、結果として漂白効果やプラークコントロール効果の低下が生じることがある。したがって、二酸化チタンまたはそれを含有する混合物と、過酸化水素を発生しうる化合物またはそれを含有する混合物を混和した後の二酸化チタンの濃度としては、好ましくは０．００１〜１０重量％であり、より好ましくは０．０１〜１重量％、更に好ましくは０．０１〜０．５重量％である。
【００１４】
また、二酸化チタンは水に不溶のため、水中に均一に分散させようとする場合、無機増粘剤の添加が有効である。無機増粘剤としては、水の存在下で膨張する性質を有する層状構造型の無機粘土鉱物を使用するのが好ましい。本発明に好ましく使用できる層状構造型の無機粘土鉱物としては、サポナイト、モンモリロナイト、スチブンナイト、ヘクトライト、スメクナイト、ネクタイトおよびセピオラオトなどが挙げられる。これらは天然品であっても、合成品であっても良い。また、使用するのは１種でも良いし、２種以上であっても良い。また、これらの配合量は二酸化チタンまたはそれを含有する混合物と、過酸化水素を発生しうる化合物またはそれを含有する混合物を混和した後で、好ましくは０．１〜１０重量％であり、更に好ましくは０．５〜５重量％である。
【００１５】
２つ目の成分である過酸化水素は、過酸化水素水であっても良いし、水と接触することで反応を起こし過酸化水素を発生させうる化合物であっても良い。例えば、過酸化水素水、過ホウ酸塩、過炭酸塩、過硫酸塩、過リン酸塩、過酸化カルシウム、過酸化マグネシウムおよび過酸化尿素などが挙げられる。
【００１６】
過酸化水素水は液体であり、そのまま単独で用いることもできるが、扱いやすくするために有機増粘剤を添加することもできる。好ましく使用できる有機増粘剤としてはポリアクリル酸ナトリウム、メチルセルロースおよびカルボキシメチルセルロースナトリウムが挙げられる。使用するのは１種でも良いし、２種以上であっても良い。増粘剤の配合量は二酸化チタンまたはそれを含有する混合物と、過酸化水素を発生しうる化合物またはそれを含有する混合物を混和した後で、好ましくは０．１〜１０重量％であり、更に好ましくは０．１〜５重量％である。
【００１７】
過ホウ酸塩、過炭酸塩、過硫酸塩、過リン酸塩、過酸化カルシウム、過酸化マグネシウムおよび過酸化尿素は粉末であり、そのまま使用できる。使用するのは１種でも良いし、２種以上であっても良い。これらは水と接触すると分解反応が徐々に進行するので、液状にはせず、むしろ粉末として保存し、歯磨きの直前に混和するのが好ましい。
【００１８】
本歯磨き剤には、歯磨きの際の歯への付着性を良くするために、界面活性剤を添加することができる。界面活性剤としてはアニオン界面活性剤、カチオン界面活性剤、非イオン界面活性剤、両性イオン界面活性剤が配合可能である。
【００１９】
光照射により光触媒作用を生じる二酸化チタンまたはそれを含有する混合物と、過酸化水素を発生しうる化合物またはそれを含有する混合物を混合した歯磨き剤を、光照射機能を有する歯ブラシにつけてブラッシングを行う際、口腔内の刺激を軽減するために、発生する過酸化水素量が有効酸素濃度換算で３％以下であることが好ましい。
【００２０】
光触媒機能を有する歯ブラシの構造、原理についてはどのようなものでも使用できるが、光源としてハロゲンランプ、ＬＥＤ（発光ダイオード）、半導体レーザー等が好適に使用できる。照射する光の波長は二酸化チタンに吸収され光触媒作用を生じることのできる波長を有する光であり、かつ人体に悪影響のない光が好ましく、可視光線を含む光、特に３８０〜５００ｎｍの波長を含む光が好適に使用される。
【実施例】
【００２１】
次に、実施例および比較例により本発明を更に具体的に説明する。ただし。本発明は以下の実施例に制限を受けるものではない。
【００２２】
実施例１
二酸化チタン０．０５ｇ、合成ヘクトライト３．００ｇに精製水を加え全量を１００ｇとした（混合物１）。また、３５％過酸化水素水５．００ｇ、ポリアクリル酸ナトリウム０．３ｇに精製水を加え全量を１００ｇとした（混合物２）。混合物１および混合物２の同量を混合し、この混合物にハロゲンランプを光源とする光照射機能（波長４００〜５００ｎｍの光を含む）を有する歯ブラシのブラシ部を浸し、混合物を付着させた後、光を照射しながらウシの抜去歯を５分間ブラッシングし、次いで水ですすぎを行った。混合物を使ったブラッシングと水によるすすぎを５０回繰り返した。変色度および染色法による５段階評価でプラークコントロール作用を見た。
【００２３】
比較例１
光を照射しない以外は、実施例１と同様に行った。
【００２４】
比較例２
市販の歯磨き剤を使用し、光を照射しない条件で、実施例１と同様に行った。結果を表１に示す。
【００２５】
【表１】
2006061292.tif 000002
【００２６】
上記漂白試験における変色度の分類は、以下に従った。
Ｆ１：淡い黄色、褐色、灰色で歯冠全体が一様に着色されていて、縞模様は見られないもの。
Ｆ２：Ｆ１よりも濃く、歯冠全体が一様に着色されていて、縞模様は見られないもの。
Ｆ３：濃い灰色、青みがかった灰色で縞模様を伴うもの。
Ｆ４：著しく濃い紫色、灰色がかった紫色で歯冠部全体が変色しているもの。